(57)【要約】【課題】外観の美観を向上しつつ、メンテナンス時等の作業性を確保可能な空気調和機の室内機を提供する。【解決手段】送風ファン及び熱交換器を収容する筐体１１と、筐体の胴部１１ａを取囲むように連続して配置された天面パネル２４、インレットパネル１８、フラップ１６ａを有する底面パネル２６、及び背面パネル２７と、天面パネル２４、インレットパネル１８、底面パネル２６、及び背面パネル２７と着脱可能に連続するとともに、筐体１１の側部１１ｂ全体を覆う左右の側面パネル２８と、を備えている室内機１０である。【選択図】図１
2018091510.tif 000002
【特許請求の範囲】
【請求項１】
筐体と、
前記筐体に収容された送風ファン及び熱交換器と、
前記筐体の胴部を取囲むように連続して配置された天面パネル、前面パネル、フラップを有する底面パネル、及び背面パネルと、
前記天面パネル、前記前面パネル、前記底面パネル、及び前記背面パネルと着脱可能に連続するとともに、前記筐体の側部の全体を覆う左右の側面パネルと、
を備える空気調和機の室内機。
【請求項２】
左右の側面パネルと筐体の側部との間には側部収容空間が設けられ、
一方の前記側部収容空間に、前記送風ファン及び前記熱交換器を制御するコントローラが収容され、他方の前記側部収容空間に、機器を前記筐体及び前記側面パネルの少なくとも一方に対して着脱可能に収容する請求項１に記載の空気調和機の室内機。
【請求項３】
前記一方の前記側部収容空間を形成する一方の前記側面パネルよりも、前記他方の前記側部収容空間を形成する他方の前記側面パネルの方が、重量が大きくなっている請求項２に記載の空気調和機の室内機。
【請求項４】
前記底面パネルが前記筐体に着脱可能となっている請求項１から３のいずれか一項に記載の空気調和機の室内機。
【請求項５】
前記底面パネルにより覆われた前記筐体の底部には、部材支持部が設けられている請求項４に記載の空気調和機の室内機。
【請求項６】
前記天面パネルが互いに分離可能な複数の分割天面パネルを有している請求項１から５のいずれか一項に記載の空気調和機の室内機。
【請求項７】
前記天面パネル、前記底面パネル、前記背面パネル、及び前記側面パネル同士が、互いに分離可能に、かつ、前記筐体に対して着脱可能に固定されている請求項１から６のいずれか一項に記載の空気調和機の室内機。
【発明の詳細な説明】
【技術分野】
【０００１】
本発明は、空気調和機の室内機に関する。
【背景技術】
【０００２】
従来から、空気調和機の室内機では、筐体に熱交換器や送風ファン等が収容された構造を有している。そして、例えば特許文献１では、吸込口及び吹出口を上下に備えた前面カバーと、前面カバーの上面に装着された上面カバーと、により筐体が覆われていた。この筐体では、前面カバー上に配置される上面カバーを左右方向に分割して配置したり、一部の上面カバーに電装品用の開口部を設けてサービスカバーを装着したりすることで、コストを抑えて外観を向上させていた。
【先行技術文献】
【特許文献】
【０００３】
【特許文献１】特開２００４−１０１０１３号公報
【発明の概要】
【発明が解決しようとする課題】
【０００４】
しかしながら、上記特許文献１では、サービスカバーは前面カバー（筐体）の側部の上部のみを覆っているため、サービスカバーを外しても内部の電装品へのアクセスは容易ではない。また、特許文献１ではサービスカバーや上面カバーの部分のみを交換しても、外観の美観を十分に向上することはできない。
【０００５】
そこで本発明は、外観の美観を向上しつつ、メンテナンス時等の作業性を確保可能な空気調和機の室内機を提供する。
【課題を解決するための手段】
【０００６】
本発明の第一の態様に係る空気調和機の室内機では、筐体と、前記筐体に収容された送風ファン及び熱交換器と、前記筐体の胴部を取囲むように連続して配置された天面パネル、前面パネル、フラップを有する底面パネル、及び背面パネルと、前記天面パネル、前記前面パネル、前記底面パネル、及び前記背面パネルと着脱可能に連続するとともに、前記筐体の側部の全体を覆う左右の側面パネルと、を備えている。
【０００７】
このような空気調和機の室内機によれば、各パネルが筐体の胴部及び側部を取囲むように連続して覆うため外部から視認される室内機の意匠面全体を連続させて見栄えよく構成できる。さらに、筐体の側部の全体を側面パネルが着脱可能に覆っているため、側面パネルを取り外すことで筐体の内部の電装品等へのアクセスが容易になる。
【０００８】
また、本発明の第二の態様に係る空気調和機の室内機では、上記第一の態様において、左右の側面パネルと筐体の側部との間には側部収容空間が設けられ、一方の前記側部収容空間に、前記送風ファン及び前記熱交換器を制御するコントローラが収容され、他方の前記側部収容空間に、機器を前記筐体及び前記側面パネルの少なくとも一方に対して着脱可能に収容してもよい。
【０００９】
このように一方の側部筐体の内側に側部収容空間が設けられてコントローラが収容されている場合であっても、筐体から側面パネルを取り外すことで側部収容空間を大きく開放でき、コントローラの装着、増設、交換、修理などの際の作業性を向上できる。
【００１０】
さらに他方の側部筐体の内側にも側部収容空間が設けられていることで、他方の側部収容空間にオプション部品等の各種機器を配置できる。よって、このようなオプション部品等の各種機器は側面パネルに覆われるため、視認できる範囲にオプション部品等が露出することがない。よって室内機の外観の美観を損なうことなく、オプション部品等の各種機器を設置することができる。
【００１１】
また、本発明の第三の態様に係る空気調和機の室内機では、上記第二の態様において、前記一方の前記側部収容空間を形成する一方の前記側面パネルよりも、前記他方の前記側部収容空間を形成する他方の前記側面パネルの方が、重量が大きくなっていてもよい。
【００１２】
このようにコントローラが収容される一方の側面パネルよりも、着脱可能に機器が収容される他方の側面パネルの方が、重量が大きいことで、仮に他方の側部収容空間にオプション部品等の機器が設けられていない場合の、室内機の左右の重量バランスをとることができる。また、オプション部品にくらべてコントローラは重量が大きいため、仮に他方の側部収容空間にオプション部品を設けた場合にも、室内機の左右の重量バランスをとることができる。
【００１３】
また、本発明の第四の態様に係る空気調和機の室内機では、上記第一から第三の態様において、前記底面パネルが前記筐体に着脱可能となっていてもよい。
このように底面パネルが筐体から着脱可能であれば、底面パネルを取り外すことで、筐体を大きく分解することなく、筐体の底部を露出させることができる。
そのための筐体の底部側に各種の部材や機器を着脱したり、底部側に配置された各種の部材や機器の修理や交換をしたりするなどの際、底部側にアクセスし易く、室内機の製造時やメンテナンス時等の作業性を向上できる。
【００１４】
また、本発明の第五の態様に係る空気調和機の室内機では、上記第四の態様において、前記底面パネルにより覆われた前記筐体の底部には、部材支持部が設けられている。
このように底面パネルにより覆われた筐体の底部に部材支持部を有していると、例えば筐体の左右の側部間に配線等を追加する場合には、この配線が室内機の外部に露出することがないため、空気調和部の外観の美観を損なうことなく、配線等の追加作業を行うことができる。
【００１５】
また、本発明の第六の態様に係る空気調和機の室内機では、上記第一から第五の態様において、前記天面パネルが互いに分離可能な複数の分割天面パネルを有していてもよい。
このように天面パネルが互いに分離可能な複数の分割天面パネルを有していると、各分割天面パネル毎に交換ができ、メンテナンス性の向上が可能である。また、各分割天面パネル毎に色彩を変更する等で、室内機の外観の美観を向上することが可能である。
【００１６】
また、本発明の第七の態様に係る空気調和機の室内機では、上記第一から第六の態様において、前記天面パネル、前記前面パネル、前記底面パネル、前記背面パネル、及び前記側面パネル同士が、互いに分離可能に、かつ、前記筐体に対して着脱可能に固定されていてもよい。
【００１７】
このように互いに隣接する全てのパネル同士が分離可能、着脱可能であると、各パネルを取り外して筐体の対応する部分を外部へ露出させ易く、作業性を一層向上できる。さらに互いに隣接するパネル同士が固定されているので、室内機の強度を十分に確保することが可能である。
【発明の効果】
【００１８】
上記の空気調和機の室内機によれば、外観の美観を向上しつつ、メンテナンス時等の作業性を確保可能である。
【図面の簡単な説明】
【００１９】
【図１】本発明の実施形態に係る空気調和機の室内機の分解斜視図である。
【図２】本発明の実施形態に係る室内機の横断面図である。
【図３】本発明の実施形態に係る室内機の底部を示す部分斜視図である。
【図４】本発明の実施形態に係る室内機を分解した図であって、他方の側部収容空間付近を示す部分斜視図であって、オプション部品（機器）を取り付けていない場合を示す。
【図５】本発明の実施形態に係る室内機を分解した図であって、他方の側部収容空間付近を示す部分斜視図であり、オプション部品（機器）及び天面パネル２４を取り付けた場合を示す。
【発明を実施するための形態】
【００２０】
空気調和機１００は、室内に設けられる室内機１０と、室内機１０に配管によって接続されて室外に設けられる室外機（不図示）とを備えている。
室内機１０は、空気を吸い込んで温度や湿度の調整を行った後に空気を吹き出し、室内の空気調和を行う。
以下、本発明の実施形態に係る室内機１０について説明する。
【００２１】
図１及び図２に示すように、室内機１０は、筐体１１と、筐体１１に収容された熱交換器１３及び送風ファン１４と、筐体１１を覆う各パネルと、を備えている。
【００２２】
各パネルとしては、筐体１１の胴部１１ａを取囲むパネルとして、筐体１１の前面を覆うインレットパネル（前面パネル）１８と、筐体１１の上面を覆う天面パネル２４と、筐体１１の底面を覆う底面パネル２６と、筐体１１の背面を覆う背面パネル２７と、が設けられている。さらに、各パネルとしては、筐体１１の左右の側部１１ｂの全体を覆う一対の側面パネル２８が設けられている。
【００２３】
ここで以下、前面、上面、底面、背面、及び側面は、室内機１０が据え付けられた状態を基準として表現した面である。よって前面とは、手前側の面を意味し、上面とは室内の天井側の面を意味し、底面は室内の床側の面を意味し、背面とは室内の壁面側の面を意味し、側面とは、室内の壁面側に向かって横方向の左右の面を意味する。
【００２４】
筐体１１は、空気の吸込口１７を前面の上部に、及び吹出口１５を下部に有する左右に横長の略直方体形状をなす胴部１１ａと、胴部１１ａの左右両端側に設けられた側部１１ｂと、を有している。
送風ファン１４は、横方向に延びるクロスフローファンである。
熱交換器１３は、送風ファン１４を外周から囲むように設けられている。
【００２５】
次に、各パネルについて詳細に説明する。
【００２６】
インレットパネル１８は、筐体１１の胴部１１ａに着脱可能に設けられて筐体１１の胴部１１ａの前面を覆い、筐体１１との間から筐体１１内に空気を吸い込めるようにしている。
【００２７】
天面パネル２４は、筐体１１の胴部１１ａに着脱可能に設けられて筐体１１の天面を覆うとともに、複数の分割天面パネル２４ａを有している。複数の分割天面パネル２４ａは互いに分離可能で、かつ、筐体１１に着脱可能に設けられている。本実施形態では、天面パネル２４は前後方向Ｄ２に三分割されて三つの分割天面パネル２４ａが設けられている。
【００２８】
底面パネル２６は、筐体１１の胴部１１ａに着脱可能に設けられて、筐体１１の底面を覆っている。底面パネル２６は、筐体１１の底面において、前面側に配置されるフラップ１６ａと、フラップ１６ａと分離可能にフラップ１６ａの背面側に配置されるパネル本体１６ｂとを有している。
【００２９】
フラップ１６ａは、筐体１１の胴部１１ａの吹出口１５を下方から覆うように設けられている。またフラップ１６ａは不図示の回動機構によって、吹出口１５の開口部の大きさを調整可能となっている。
【００３０】
パネル本体１６ｂには、その横方向Ｄ１の両端部で筐体１１の背面側に突出する板状の突状部１６ｃが設けられている。
ここでパネル本体１６ｂの内側には、図３に示すように筐体１１の胴部１１ａの底部に、図３に示すように、配線や配管等の長尺物を支持可能な部材支持部３１が設けられている。部材支持部３１は、横方向Ｄ１に互いに離間して複数が設けられている。部材支持部３１には例えば配線を引っ掛けて支持可能に、上端縁から下方に向かって凹む溝３１ａが形成されている。
【００３１】
背面パネル２７は、筐体１１の胴部１１ａに着脱可能に設けられて筐体１１の背面を覆い、室内機１０の据付時に室内の壁面に対向する。背面パネル２７の横方向Ｄ１の両端部には、横方向Ｄ１及び下端から切り欠かれた切欠部２７ａが設けられている。切欠部２７ａには、底面パネル２６のパネル本体１６ｂに設けられた突状部１６ｃが隙間なく係合し、背面パネル２７とともに筐体１１の背面を覆っている。
【００３２】
このようにインレットパネル１８、天面パネル２４、底面パネル２６、及び背面パネル２７が筐体１１の胴部１１ａの周りを連続して取囲むように配置されることで、筐体１１の胴部１１ａが略筒状に覆われている。このため、側部１１ｂの横方向Ｄ１を向く部分はインレットパネル１８、天面パネル２４、底面パネル２６、及び背面パネル２７によって覆われていない構造となっている。
【００３３】
側面パネル２８は、筐体１１の左右の側部１１ｂに着脱可能に左右一対が設けられて、筐体１１の側面を覆っている。図４に示すように、各々の側面パネル２８は、側面視において（横方向Ｄ１から見て）筐体１１の側部１１ｂを塞ぐ端部壁２８ａと、端部壁２８ａから一体に連続して胴部１１ａ側に立設され、側部１１ｂを外周側から覆う開口突部２８ｂと、側面パネル２８を胴部１１ａに固定するための固定構造２８ｃと、を備えている。本実施形態では左右の側面パネル２８は略同一形状をなし、重量も同等である。
【００３４】
左右の側面パネル２８において、開口突部２８ｂは側部１１ｂの端部に対応した形状を有している。そして開口突部２８ｂは、胴部１１ａを覆う天面パネル２４、底面パネル２６、及び背面パネル２７の横方向Ｄ１の各端縁の形状に対応する形状を有している。そのため側部１１ｂに側面パネル２８を装着すると、パネル１８、２４、２６、２７、２８によって筐体１１の全表面に連続した外観が得られるようになっている。
【００３５】
各側面パネル２８と側部１１ｂとの固定構造２８ｃは、側面パネル２８の開口突部２８ｂに設けられて側部１１ｂの端部と対向方向（横方向Ｄ１）に係止する係止部３４と、側面パネル２８の開口突部２８ｂと側部１１ｂの端部とをネジにより対向方向と交差する方向（前後方向Ｄ２）に締結する締結部３５と、を有している。
【００３６】
筐体１１に側面パネル２８を、係止部３４で対向方向に係止するとともに締結部３５で対向方向と交差する方向に締結することで、各側面パネル２８と筐体１１とが互いに相対変位不能に固定される。
【００３７】
各側面パネル２８の内側には、それぞれ各種の機器３３を収容可能な側部収容空間２９が設けられている。即ち、側部収容空間２９は、側面パネル２８を筐体１１に連結した状態で、筐体１１の側部１１ｂと端部壁２８ａとの間に形成される空間である。
【００３８】
本実施形態では、図１に示すように、一方の側部収容空間２９にはコントローラ３２が収容されている。コントローラ３２は、筐体１１の側部１１ｂに支持されて、着脱可能なコントローラカバー４０によって覆われた状態で、さらに側面パネル２８により覆われている。
【００３９】
図４及び図５に示すように、他方の側部収容空間２９には各種の機器３３が収容可能となっており、本実施形態では各種の機器３３はオプション部品等であって、例えば携帯電話等の端末と室内機１０との間で通信を行う増設基板等の部品である。ここで、各種の機器３３はオプション部品に限らず、製造時からコントローラ３２の一部の機能を他方の側部収容空間２９に設けてもよい。
【００４０】
ここで他方の側部収容空間２９を覆う側面パネル２８の端部壁２８ａには、側部収容空間２９に収容される各種の機器３３を固定するための爪状の機器係止部３７が設けられている。この機器係止部３７によって、ネジ等の締結具を用いることなく各種の機器３３を側面パネル２８に固定可能となっている。
【００４１】
そして、上記の筐体１１を覆う天面パネル２４、底面パネル２６、背面パネル２７、及び一対の側面パネル２８において、互いに隣接するパネル２４、２６、２７、２８同士が分離可能に互いにネジや係止爪等（不図示）により相対変位不能に固定されている。
【００４２】
以上説明した室内機１０によれば、筐体１１の胴部１１ａ全体が各パネル１８、２４、２６、２７により取囲むように連続して覆われ、側部１１ｂが側面パネル２８によって覆われていることで、筐体１１の表面全体が連続して覆われている。そのため外部から視認される意匠面全体を連続させて見栄えよく構成でき、室内機１０の外観の美観を向上できる。
【００４３】
また、側部１１ｂ全体覆う側面パネル２８が筐体１１から着脱可能となっている。そのため筐体１１を分解することなく側部パネル２８を外すことのみで、筐体１１の側部１１ｂの内部を容易に露出できる。よって筐体１１の内部のコントローラ３２等の電装品等へのアクセスが容易になる。よってコントローラ３２やその他の構成機器の装着、増設、交換、修理などの際に作業性が良好である。
【００４４】
さらに他方の側部収容空間２９に別の各種の機器３３を増設したり、コントローラ３２の構成の一部を分離して配置したりすることができる。そしてこれら各種の機器３３等は側面パネル２８に覆われるため、視認できる範囲に各種の機器３３等が露出することがない。よって室内機１０の外観の美観を損なうことなく、各種の機器３３等を設置することができる。
【００４５】
本実施形態の室内機１０では、底面パネル２６が筐体１１に着脱可能であるので、底面パネル２６を取り外すことで筐体１１を大きく分解することなく、空調本体１１の底部を露出させることができる。
そのため、筐体１１の底部側に各種の部材や機器を着脱したり、底部側に配置された各種の部材や機器の修理や交換をしたりするなどの際、底部側にアクセスし易く、室内機１０の製造時やメンテナンス時等の作業性を向上できる。
【００４６】
また本実施形態では、例えば部材支持部３１に、一方の側部収容空間２９のコントローラ３２と、他方の側部収容空間２９の機器３３とを接続する配線を引っ掛けて支持することができる。この際にも、底面パネル２６を取り外すことで筐体１１を大きく分解することなく配線の引っ掛け作業を行うことができる。また、このような機器３３の追設にともなう配線の追加を行っても、底面パネル２６によって配線が外部に露出することがない。よって室内機１０の外観の美観を損なうことがない。
【００４７】
また天面パネル２４が、互いに分離可能な複数の分割天面パネル２４ａを有しているので、各分割天面パネル２４ａ毎に交換ができ、メンテナンス性の向上が可能である。また、各分割天面パネル２４ａ毎に色彩を変更する等で、室内機１０の外観の美観を向上することが可能である。
【００４８】
また、本実施形態の室内機１０では、互いに隣接する全てのパネル１８、２４、２６、２７、２８同士が分離可能、着脱可能であると、各パネル１８、２４、２６、２７、２８を取り外して筐体１１の対応する部分を外部へ露出させ易く、作業性を一層向上できる。さらにインレットパネル１８を除くパネル２４、２６、２７、２８は、互いに隣接するパネル同士で固定されているので、室内機１０の十分な強度を確保することが可能である。
【００４９】
以上、本発明の実施形態について詳細を説明したが、本発明の技術的思想を逸脱しない範囲内において、多少の設計変更も可能である。
例えば筐体１１を覆う構成する全パネル１８、２４、２６、２７、２８のうち、パネル２４、２６、２７、２８同士の間を固定したが、パネル２４、２６、２７については、直接筐体１１のみに固定されていてもよい。
【００５０】
また、左右の側面パネル２８は、互いに形状、重量が異なっていてもよい。例えば、一方の側部収容空間２９を形成する一方の側面パネル２８よりも、他方の側部収容空間２９を形成する他方の側面パネル２８の方が、重量が大きくなっていてもよい。この場合、着脱可能に機器３３が収容される側の他方の側面パネル２８の方が、重量が大きいことで、仮に他方の側部収容空間２９にオプション部品等の機器３３が設けられていない場合の、室内機１０の左右の重量バランスをとることができる。また、オプション部品にくらべてコントローラ３２は重量が大きいため、仮に他方の側部収容空間２９にオプション部品を設けた場合にも、室内機１０の左右の重量バランスをとることができる。
【００５１】
また、コントローラ３２を収容した一方の側部収容空間２９よりも、機器３３が収容される他方の側部収容空間２９の方が容積が大きくなるように左右の側面パネル２８の形状を決定してもよい。
【００５２】
また、オプション部品等の機器３３は側面パネル２８ではなく筐体１１の側部１１ｂに固定されてもよい。
【符号の説明】
【００５３】
Ｄ１…横方向  
Ｄ２…前後方向  
１０…室内機  
１１…筐体  
１１ａ…胴部  
１１ｂ…側部  
１３…熱交換器  
１４…送風ファン  
１５…吹出口  
１６ａ…フラップ  
１６ｂ…パネル本体  
１６ｃ…突状部  
１７…吸込口  
１８…インレットパネル（前面パネル）  
２４…天面パネル  
２４ａ…分割天面パネル  
２６…底面パネル  
２７…背面パネル  
２７ａ…切欠部  
２８…側面パネル  
２８ａ…端部壁  
２８ｂ…開口突部  
２８ｃ…固定構造  
２９…側部収容空間  
３１…部材支持部  
３１ａ…溝  
３２…コントローラ  
３３…機器  
３４…係止部  
３５…締結部  
３７…機器係止部  
４０…コントローラカバー  
１００…空気調和機
【図１】
2018091510.tif 000003
【図２】
2018091510.tif 000004
【図３】
2018091510.tif 000005
【図４】
2018091510.tif 000006
【図５】
2018091510.tif 000007